(57)【要約】      （修正有）【課題】水耕栽培装置は屋内にて人工光を利用しする事が一般であり、一般家庭ではその様な場所は確保できずコストも割高となった。また小型水耕栽培装置は収穫が限られるし、プランターでは土を利用するため屋上やベランダなどでは土管理が困難であり、家庭菜園を楽しめなかった。屋外にて太陽光を利用した水耕栽培装置を提供する。【解決手段】筒状胴体部１を横にし上面に苗の植え穴２を等間隔に設け、更にそれを挟むように一定間隔を開けて間欠式サイフォン排水装置５を設置し、筒状胴体部内に水路パイプ４を設ける。間欠式サイフォン排水装置は、筒状胴体部が一定の水位になると自動排水し、完全に排水終了後、次の一定の水位まで排水を行わない。水路パイプは、給排水用の穴を全面に設けて水の流れを良くする。筒状胴体部は、直線やループ状などにしたり、段々に重ねる事も出来る。培養液水槽７は間欠式サイフォン排水装置が作動できる場所に設置する。【選択図】図２
2016077163.tif 000002
【特許請求の範囲】
【請求項１】
筒状胴体部を横にし、上面に苗の植え穴を等間隔に設け、更に前記、植え穴を挟むように一定間隔を開けてサイフォン排水装置を設置し、筒状胴体部の中に水路パイプを設けたことを特徴とする横置き型水耕栽培装置。
【発明の詳細な説明】
【技術分野】
【０００１】
本発明は、屋外にて太陽光を利用した横置き型水耕栽培装置に関するものである。              
【背景技術】
【０００２】
従来、水耕栽培装置は、室内で人工の光を利用して栽培する事から十分な屋内スペースが必要であり、家庭菜園としては困難であり、また小型の水耕栽培装置等もあるが沢山の収穫を望む事が出来なかった。
なお、水、土壌の使用を最小限にとどめ太陽熱、風波等の自然エネルギーを多面的に利用した多様性、多機能生に富んだ植物栽培装置が知られている（特許文献１参照）。
【先行技術文献】
【特許文献】
【０００３】
【特許文献１】特許出願２００１−６２６４４
【発明の概要】
【発明が解決しようとする課題】
【０００４】
水耕栽培装置は屋内にて人工光を利用し栽培する事が一般であり、一般家庭においてはその様な場所を確保する事はできずコストも割高となった。また小型の水耕栽培装置では収穫が限られてしまうし、プランター栽培では土を利用する事から屋上やベランダなどでは土管理が困難である為、家庭菜園を楽しむ事が出来なかった。
本発明は、以上の問題点を解決するためになされたものである。
【課題を解決するための手段】
【０００５】
筒状胴体部を横にし、上面に苗の植え穴を等間隔に設け、更にそれを挟むように一定間隔を開けて間欠式サイフォン排水装置を設置し、筒状胴体部の中に水路パイプを設ける。
間欠式サイフォン排水装置は、筒状胴体部が一定の水位になった場合自動排水をし、完全に排水が終わったら次の一定の水位になるまで排水を行わない。水路パイプには、給排水用の穴を全面に設けて水の流れを良くする。
筒状胴体部は、直線やループ状などに繋ぎ合せたり、段々に重ねる事も出来る。
培養液水槽は間欠式サイフォン排水装置が作動できる場所に設置する。
以上の構造によりなる横置き型水耕栽培装置。
【発明の効果】
【０００６】
従来室内で水耕栽培を行う事が主だったが、本発明によりプランター代わりとして、屋外にて横長の水耕栽培装置を設置する事ができる。また太陽光で育てる為電気代の節約ができ、培養液の管理だけなので、連作障害や土の管理等がなく、手軽に屋上やベランダなどでも家庭菜園を楽しむ事が出来る。
【図面の簡単な説明】
【０００７】
【図１】本発明の上面図
【図２】本発明の側面端面図
【図３】本発明の筒状胴体部端面図
【図４】本発明の間欠式サイフォン排水装置端面図
【発明を実施するための形態】
【０００８】
以下、本発明の実施の形態を説明する。
筒状胴体部（１）は図３に示す通り断面形状は円筒形が好ましいが方形状でも、同等の効果がみられ、使用には横置きにし、上面に植物を植える為の植え穴（２）を植物の成長に害しない間隔にて設ける。また、植え穴（２）の径に関しても、植物が成長した茎などの太さに影響のない口径とする。植え穴（２）には、ベルマウス縁（３）を設け、ベルマウス状にする事で、植え穴（２）の縁が高くなり、口縁部分を広げる事から培養液をこぼれ難くすると共に植物の茎や葉などがベルマウス縁（３）に擦れた場合に起きる損傷を防止する。
【０００９】
筒状胴体部（１）の両端には、間欠式サイフォン排水装置（５）を設ける。ただし、筒状胴体部（１）を繋ぎ合せて長くする場合は、適度な間隔にて間欠式サイフォン排水装置（５）を設け、短くする場合には一つだけ設置する。間欠式サイフォン排水装置（５）の排水吸込み口（１０）は、図４に示す様に筒状胴体部（１）より低い位置に設け、排水する培養液を筒状胴体部（１）の水底から排出する事を目的とする。なお、吸気排水位調整管（８）は、筒状胴体部（１）の排水が終わると空気を吸引して、間欠式サイフォン排水装置（５）内に空気が入り完全に排水が停止する。この吸気排水位調整管（８）の高さを調整すると空気の入る液上面の水位が変わる事から筒状胴体部（１）の培養液の排水量の水位を調整する事が出来る。
【００１０】
水路パイプ（４）は、筒状胴体部（１）の底部に取り外しのできる状態とし、破損等で取り換えが必要となった場合には交換出来る様に設置する。水路パイプ（４）の太さは、筒状胴体部（１）の断面面積に対し１０〜２０％程度し、長さは間欠式サイフォン装置（５）の間隔もしくは、筒状胴体部（１）に見合う長さとし培養液が流れる様にホース状とする。図３に示す様に全面には出来るだけ多くの給排水口（１１）を設ける。水路パイプ（４）の主な目的としては植物の根っ子が成長し、筒状胴体部（１）内の培養液の流れが悪くなった際に、水路パイプ（４）に設けた給排水口（１１）から培養液が流れ筒状胴体部内（１）内の全体に培養液を満たす。
【００１１】
筒状胴体部（１）より低い位置に培養液水槽（７）を設け、循環用ポンプ（６）を利用し、筒状胴体部（１）に培養液を送り込む。培養液水槽（７）は定まった形状はないが雨水が入らない様にし、設置場所は間欠式サイフォン排水装置（５）が作動できる場所に設置する。循環ポンプ（６）に関しては、培養液水槽（７）内の培養液を筒状胴体部（１）に給水出来るものとするが間欠式サイフォン排水装置（５）の排水量を超えない程度で、ゆっくりと給水できる循環ポンプ（６）を使用する。
【００１２】
筒状胴体部（１）や培養液水槽（２）等が、気温や直射日光を受ける事で培養液の温度変化が植物にとて、悪影響となる場合には各部を保温材などで保護する。また、植え穴（２）以外の箇所は蓋やコーキング等をし、雨水等が入らない様にする。
筒状胴体部（１）内にメンテナンス等が発生した場合には、間欠式サイフォン排水装置（５）を取り外して行う為、間欠式サイフォン排水装置（５）は筒状胴体部（１）から取り外しのできる構造とする。
【００１３】
本発明は、以上のような構造である。
本発明を使用するときは、培養液を培養液水槽（７）に十分溜めておき、循環用ポンプ（６）にて筒状胴体部（１）に培養液を送り込みゆっくりと培養液を溜める。筒状胴体部（１）内の培養液は、流れの勢いで培養液を満たすのではなく、ゆっくりと培養液を給水し筒状胴体部（１）内の水位を全体に出来るだけ平均的に排水量まで満たす。
筒状胴体部（１）内の水位が排水面に達すると間欠式サイフォン排水装置（５）が自動的に作動し、水底から培養液を吸い込んで培養液水槽（７）に自動排水する。筒状胴体部（１）の排水が終わると吸気排水位調整管（８）から空気を吸い込み間欠式サイフォン排水装置（５）内へ空気が送られて、自動的に排水が止る。この排水中に根っ子が空気と触れる。排水が止ると、筒状胴体部（１）に培養液が溜まり排水量に達すると再度間欠式サイフォン排水装置（５）が自動排水をする。この工程を繰返す事で根っ子に対し、培養液と空気の供給を繰返し行い植物を成長させ病気等は予防する。
水路パイプ（４）は、根っ子が成長する事で筒状胴体部（１）内が詰まり始め最終的には完全に詰まる可能性もあるので、培養液の流れが悪くなった場合でも、水路パイプ（４）にて全体的に培養液を流し、給排水口（１１）を通し培養液を詰まった場所でも浸透させる。
【符号の説明】
【００１４】
１筒状胴体部、２植え穴、３ベルマウス縁、４水路パイプ、
５間欠式サイフォン排水装置、６循環用ポンプ、７培養液水槽、８吸気排水位調整管、９排水管、１０排水吸い込み口
１１給排水口
【図１】
2016077163.tif 000003
【図２】
2016077163.tif 000004
【図３】
2016077163.tif 000005
【図４】
2016077163.tif 000006